(57)【要約】【課題】剛性の液晶シャッターを作業性よく装置内へ組み込むことができる液晶表示装置を提供すること。【解決手段】額縁状の支持枠１０内に、液晶シャッター３、導光板６及び光源７Ａ、７Ｂ等を収納し、支持枠上に液晶表示パネル２を載置し、液晶表示パネルを前面枠１３で覆って保持した液晶表示装置１において、支持枠は、側板部１１ａ〜１１ｄ、開口部１１'及び周縁部１１ａ'〜 １１ｄ'を有する本体枠１１と、周縁部の一辺を載置面として固定される押さえ部材１２とからなり、本体枠に導光板上面に当接させる第１支持部１１２、１１３を、押さえ部材に液晶シャッターを支持する第２支持部１２ａ'を設け、剛性の液晶シャッターを用い、本体枠内に導光板及び光源を収納し第１支持部を導光板上面に当接させて光源を覆い、導光板の上に液晶シャッターを積層し、本体枠に押さえ部材を固定した後に第２支持部に液晶表示パネルを載置するようにした。【選択図】図２
2008065211.tif 000002
【特許請求の範囲】
【請求項１】
外周囲が側板部で囲まれ内部に開口部を有し前記側板部と前記開口部との間に所定幅の
周縁部が形成された額縁状の支持枠内に、少なくとも液晶シャッター、光学シート、導光
板及び光源を収納し、前記支持枠上に液晶表示パネルを載置し、前記液晶表示パネルの外
周縁を内部に表示窓を有する前面枠で覆って保持した液晶表示装置において、
前記支持枠は、前記側板部、開口部及び周縁部を有する本体枠と、前記周縁部の一辺を
載置面として該載置面に固定される押さえ部材とからなり、前記本体枠の周縁部の内側端
部に前記導光板上面に当接させる第１支持部を設け、前記押さえ部材の一側縁部に前記液
晶シャッターの端縁部を支持する第２支持部を設け、前記液晶シャッターに剛性の液晶シ
ャッターを用い、
前記本体枠内に前記光源、導光板及び光学シートを収納して、前記第１支持部を前記導
光板上面に当接させて前記側板部及び周縁部で前記光源を覆い、さらに前記導光板の上に
前記液晶シャッターを積層して、前記本体枠の載置面に前記押さえ部材を固定した後に前
記第２支持部に前記液晶表示パネルを載置して前記前面枠で前記液晶表示パネルを保持す
るようにしたことを特徴とする液晶表示装置。
【請求項２】
前記液晶シャッターは、対向する一対の透明基板及びこれらの透明基板間に形成された
液晶層を有し、前記一対の透明基板の少なくとも一方の透明基板が剛性を有する透明基板
で形成されていることを特徴とする請求項１に記載の液晶表示装置。
【請求項３】
前記本体枠は前記載置面に第１係止部を備え、前記押さえ部材は前記載置面と接触する
接触面に第２係止部を備え、前記第１係止部と第２係止部との係合により前記押さえ部材
が前記本体枠に固定されることを特徴とする請求項１に記載の液晶表示装置。
【請求項４】
前記第１係止部は前記本体枠の載置面に形成された第１係合穴に設けられた爪片からな
り、前記第２係止部は前記押さえ部材の接触面に形成された第２係合穴に設けられた爪片
からなり、前記第１、第２係止部は、前記本体枠及び前記押さえ部材の長手方向と直交す
る方向で上下に段違いに形成されて、前記押さえ部材のスライド移動により互いに係合さ
れることを特徴とする請求項３に記載の液晶表示装置。
【請求項５】
前記押さえ部材は、前記周縁部の一辺に当接される長辺枠と、前記周縁部に隣接する隣
接周縁部の一部に当接される短辺枠とからなり、前記隣接周縁部と前記短辺枠との間に前
記押さえ部材を係止あるいは該係止を解除する係止・解除手段が設けられていることを特
徴とする請求項３又は４に記載の液晶表示装置。
【発明の詳細な説明】
【技術分野】
【０００１】
本発明は液晶表示装置に係り、より具体的には液晶表示パネル及び液晶シャッター等の
部品を装置内へ作業性良く組み込むことができる液晶表示装置に関するものである。
【背景技術】
【０００２】
液晶表示パネルとともに液晶シャッターを組み込んだ液晶表示装置は既に知られている
。（例えば、下記特許文献１参照）。なお、図８は下記特許文献に記載された液晶表示装
置の一部断面図である。
【０００３】
この液晶表示装置２０は、略矩形状の液晶表示パネル２１と、この液晶表示パネル２１
と略同じ大きさの液晶シャッター２２とが対向した状態で装置内に収容されている。すな
わち、これらの液晶表示パネル２１及び液晶シャッター２２は、他の部材、例えば導光板
２３、光学シート２４及び光源Ｌ等と共に収容ケース２５に収納されて、額縁状の枠体２
６で支持されて、前面枠２７で固定されている。
【０００４】
額縁状の枠体２６は、外周囲が側板部２６ａで囲まれ内部に開口部２６０を有し、側板
部２６ａと開口部２６０との間が周縁部２６ｂで連結された構成を有している。なお、図
８では額縁状枠体２６の一方の枠辺を示しており、この枠辺と対向する箇所にも同様の枠
辺が設けられている。
【０００５】
周縁部２６ｂは、内周縁の端部が延出された所定長さの第１突出部２６１と、この第１
突出部２６１の内側先端部付近から水平に延びた第２突出部２６２及び下方へ垂下した第
３突出部２６３とを有している。第１突出部２６１は、光源Ｌを収納したランプハウスＬ
Ｈを覆う長さになっている。第３突出部２６３は、組立て時に先端部を導光板２３に当接
させて第２突出部２６２との間に所定の隙間が形成される高さにし、この隙間に液晶シャ
ッター２２の端縁部が挿入されるようになっている。さらに、第２突出部２６２には、液
晶表示パネル２１の外縁部が支持されるようになっている。
【０００６】
液晶シャッター２２は、通常、対向する２枚の透明材料からなる基板間に液晶層が形成
されたもので、両基板はいずれも可撓性を有する透明な樹脂材で形成されている。したが
って、液晶シャッター自身が撓み変形可能になっている。
【０００７】
この液晶表示装置の組立ては、先ず、収容ケース２５に導光板２３、光学シート２４及
び光源Ｌ等が収納され、その上から枠体２６を取付けることでこれらの部材が支持されて
組み込まれる。次いで、枠体２６の周縁部２６ｂと対向する不図示の周縁部の第２突出部
と導光板２３により形成された隙間に液晶シャッター２２の一方の端縁部が差し込まれ、
この液晶シャッター２２の他端部が撓まされて周縁部２６ｂの第２突出部２６２と導光板
２３との間に形成された隙間に差し込まれる。したがって、液晶シャッター２２は、可撓
性を有しているので、この撓みを利用して簡単に枠内に組み込むことができる。その後、
第２突出部２６２の上面に液晶表示パネル２１を載置して前面枠２７によって液晶表示パ
ネル２１を押圧して、収容ケース２５に収納した部材が固定される。前面枠２７は、枠体
の外板部に形成された不図示の係止部と係合されるようになっている。
【特許文献１】特開２００６−９８８７８号公報
【発明の開示】
【発明が解決しようとする課題】
【０００８】
上記の液晶表示装置によれば、液晶シャッターが可撓性を有しているので、装置内への
組み込みは、液晶シャッターを撓ませることにより簡単に組み込むことができる。しかし
ながら、液晶シャッターは、樹脂基板等で形成されているので、装置に組み込まれると、
液晶駆動時に発生する熱を受けて熱変形を起して液晶表示パネルに接触することがある。
このように液晶シャッターが液晶表示パネルに接触すると、液晶表示パネルの表示面に干
渉縞、表示ムラ等が出現し、表示品質の低下を招く恐れがある。
【０００９】
そこで、このような不都合をなくする対策として、液晶シャッターを構成する基板に熱
変形し難い材料、例えばガラス板等の使用が考えられる。しかしながら、このようなガラ
ス板を使用すると液晶シャッター自身に可撓性がなくなり、装置に組み込む際に上記のよ
うに液晶シャッター自身を撓ませることができなくなる。また、支持枠及び収容ケースに
は、液晶表示パネル及び液晶シャッターの他に、導光板、光学シート及び光源等が収納さ
れており、これらが枠体及び前面枠で固定されるときに、枠体の周縁部の形状によって、
周縁部等がランプハウスに接触し変形させてしまい、その結果輝線等の表示異常が発生す
る。
【００１０】
本発明の目的は、液晶シャッターに剛性を有するものを使用し、係る液晶シャッターを
作業性よく装置内へ組み込み表示品質の向上を図った液晶表示装置を提供することにある
。
【００１１】
本発明の他の目的は、装置内へ収納される部品、例えば光源等へ悪影響を与えることな
く剛性の液晶シャッターを装置内へ組み込むことができる液晶表示装置を提供することに
ある。
【課題を解決するための手段】
【００１２】
前記目的は、以下の構成を備えることにより達成できる。すなわち、請求項１に記載の
液晶表示装置に係る発明は、外周囲が側板部で囲まれ内部に開口部を有し前記側板部と前
記開口部との間に所定幅の周縁部が形成された額縁状の支持枠内に、少なくとも液晶シャ
ッター、光学シート、導光板及び光源を収納し、前記支持枠上に液晶表示パネルを載置し
、前記液晶表示パネルの外周縁を内部に表示窓を有する前面枠で覆って保持した液晶表示
装置において、
前記支持枠は、前記側板部、開口部及び周縁部を有する本体枠と、前記周縁部の一辺を
載置面として該載置面に固定される押さえ部材とからなり、前記本体枠の周縁部の内側端
部に前記導光板上面に当接させる第１支持部を設け、前記押さえ部材の一側縁部に前記液
晶シャッターの端縁部を支持する第２支持部を設け、前記液晶シャッターに剛性の液晶シ
ャッターを用い、
前記本体枠内に前記光源、導光板及び光学シートを収納して、前記第１支持部を前記導
光板上面に当接させて前記側板部及び周縁部で前記光源を覆い、さらに前記導光板の上に
前記液晶シャッターを積層して、前記本体枠の載置面に前記押さえ部材を固定した後に前
記第２支持部に前記液晶表示パネルを載置して前記前面枠で前記液晶表示パネルを保持す
るようにしたことを特徴とする。
【００１３】
請求項２の発明は、請求項１に記載の液晶表示装置において、前記液晶シャッターは、
対向する一対の透明基板及びこれらの透明基板間に形成された液晶層を有し、前記一対の
透明基板の少なくとも一方の透明基板が剛性を有する透明基板で形成されていることを特
徴とする。
【００１４】
請求項３の発明は、請求項１に記載の液晶表示装置において、前記本体枠は前記載置面
に第１係止部を備え、前記押さえ部材は前記載置面と接触する接触面に第２係止部を備え
、前記第１係止部と第２係止部との係合により前記押さえ部材が前記本体枠に固定される
ことを特徴とする。
【００１５】
請求項４の発明は、請求項３に記載の液晶表示装置において、前記第１係止部は前記本
体枠の載置面に形成された第１係合穴に設けられた爪片からなり、前記第２係止部は前記
押さえ部材の接触面に形成された第２係合穴に設けられた爪片からなり、前記第１、第２
係止部は、前記本体枠及び前記押さえ部材の長手方向と直交する方向で上下に段違いに形
成されて、前記押さえ部材のスライド移動により互いに係合されることを特徴とする。
【００１６】
請求項５の発明は、請求項３又は４に記載の液晶表示装置において、前記押さえ部材は
、前記周縁部の一辺に当接される長辺枠と、前記周縁部に隣接する隣接周縁部の一部に当
接される短辺枠とからなり、前記隣接周縁部と前記短辺枠との間に前記押さえ部材を係止
あるいは該係止を解除する係止・解除手段が設けられていることを特徴とする。
【発明の効果】
【００１７】
本発明は上記構成を備えることにより、以下に示すような優れた効果を奏する。すなわ
ち、請求項１、２の発明によれば、支持枠は、本体枠と押さえ部材とに分割されているの
で、本体枠に液晶シャッターを取付けた後に押さえ部材で固定でき、支持枠内への装着が
簡単に行える。また、剛性の液晶シャッターが使用できるので、液晶駆動時に発生する発
熱により液晶シャッターが熱変形することがなく、熱変形により液晶表示パネルと接触す
ることがなくなり、表示品質の向上を図ることができる。さらに、本体枠に第１支持部を
設けたので、支持枠に他の部品を収納しても光源に支持枠が接触することがなくなり、光
源の損傷等をなくすることができる。
【００１８】
また、請求項３の発明によれば、本体枠及び押さえ部材にそれぞれ第１、第２係止部を
設けることにより、押さえ部材を本体枠に簡単に固定することができる。
【００１９】
また、請求項４の発明によれば、爪片からなる第１、第２係止部をそれぞれ第１、第２
係合穴に設けることにより、押さえ部材を肉厚にすることなく、第１、第２係止部を形成
することが可能になる。
【００２０】
また、請求項５の発明によれば、隣接内周縁に押さえ部材を係止あるいは解除する係止
・解除手段を設けることにより、押さえ部材の係止・解除が容易になる。
【発明を実施するための最良の形態】
【００２１】
以下、図面を参照して本発明の最良の実施形態を説明する。なお、図１は本発明の一実
施形態に係る液晶表示装置を分解した分解斜視図、図２は図１で分解した部品を組立てた
液晶表示装置であって、図２（ａ）は平面図、図２（ｂ）は図２（ａ）のＡ−Ａ線断面図
、図２（ｃ）は図２（ａ）のＢ−Ｂ線断面図である。
【００２２】
液晶表示装置１は、図１に示すように、略矩形状の液晶表示パネル２と、この液晶表示
パネル２と略同じ大きさの液晶シャッター３と、この液晶シャッター３の下方に配設され
る照明装置４と、これら液晶表示パネル２、液晶シャッター３及び照明装置４等を位置決
め支持する支持枠１０と、この支持枠１０に支持された液晶表示パネル２を保持する前面
枠１３と、支持枠１０の背面を覆う底面カバー９とを備えている。
【００２３】
照明装置４は、反射シート８、光学シート５及び導光板６及びこの導光板６の両側部に
配設された光源７Ａ、７Ｂとで構成されている。
【００２４】
以下、これらの部品を順次説明する。
液晶表示パネル２は、一対の長辺２ａ、２ｂ及び短辺２ｃ、２ｄがそれぞれ対向した略
矩形状をなし、２枚のガラス基板間に液晶層が形成された構成を有している。この液晶表
示パネルは、一方の短辺２ｄに液晶駆動信号等を供給するフレキシブルプリント配線基板
ＦＰＣが接続されている。なお、この液晶表示パネル２には、全光透過型または半透過型
のものが使用される。
【００２５】
液晶シャッター３は、液晶表示パネル２と略同じ矩形状を有し、２枚の基板間に液晶層
が形成された構成を有している。各基板はいずれもガラス基板、或いはいずれか一方の基
板がガラス基板で他が透明材料からなる樹脂基板で形成されている。これらの基板で液晶
シャッター３を構成すると、この液晶シャッター３は剛性を有したものとなる。したがっ
て、基板をガラス基板等で形成すると、液晶シャッター３を装置内に組み込んだときにも
液晶駆動時に発生する熱による熱変形がなくなり液晶表示パネル２との接触を回避でき、
従来技術のように干渉縞等の発生の恐れがなく表示品質が向上する。この液晶シャッター
３はまた、一辺に液晶駆動信号等を供給するフレキシブルプリント配線基板ＦＰＣが接続
されている。なお、この液晶シャッター３は、電圧の印加によって光の透光が制御される
もので、例えば液晶シャッター３が開いた状態、すなわち透光性が高い状態では、液晶シ
ャッター３の透明度が高くなって入射した光を透過するようになり、他方、液晶シャッタ
ー３が閉じた状態、すなわち透光性が低い状態では、液晶シャッター３は外観視上白濁し
た状態になり、入射した光は拡散される。なお、液晶シャッター３が開いた状態では液晶
シャッター３の透光性が高いので、底面カバー９の底面に窓を設ければ、液晶表示装置１
の背面側、すなわち底面カバー９側に配置された物体（図示せず）を液晶表示パネル２側
から視認することが可能になる。この液晶表示装置１は、例えば遊技機（パチンコやスロ
ットマシン）等に使用される。
【００２６】
導光板６は、液晶表示パネル２と略同じ大きさを有し比較的肉厚にして光透過性樹脂、
例えばアクリル樹脂で形成されている。光学シート５は、レンズシート及び拡散シート等
からなり、これらはいずれも樹脂材で形成されている。反射シート８は、光源７Ａ、７Ｂ
からの光を反射させる材料で構成されている。この反射シート８は、底面カバー９の底部
に敷設される。
【００２７】
光源７Ａ、７Ｂは、図１、図２に示すように、いずれも極細の蛍光ランプＬ、Ｌからな
り、これらの蛍光ランプＬ、ＬはそれぞれランプハウスＬＨ、ＬＨで覆われて、導光板６
の対向する長辺に配設される。各ランプハウスＬＨ、ＬＨは、長手方向に直交する方向に
切断した断面が略横Ｕ字状をなした部材からなり、このランプハウスＬＨ、ＬＨの開口、
すなわちＵ字の開口が導光板６の側端部と対向し、内部に蛍光ランプＬ、Ｌが配置される
ようになっている。なお、この蛍光ランプＬ、Ｌには、例えば冷陰極管が使用されるが、
その他の光源としてＬＥＤ（Light Emitting Diode）やＥＬ（Electro Luminescence）を
使用してもよい。
【００２８】
底面カバー９は、図１に示すように、対向する一対の長辺に側板部９ａ、９ｂが形成さ
れており、略矩形状の金属板を折曲加工して形成されている。
前面枠１３は、図１に示すように、外周が枠辺１３Ａ〜１３Ｄで囲まれ、内部に開口部
１３０を有する額縁状をなしており、金属材で形成されている。開口部１３０は、液晶表
示パネル２の表示領域を露出させる大きさに形成されている。各枠辺１３Ａ〜１３Ｄは、
所定幅長の側板部１３ａ〜１３ｄと、各側板部１３ａ〜１３ｄの上端から内側に延設した
周縁部１３ａ'〜１３ｄ'とで構成されている。各側板部１３ａ〜１３ｄには、内側に支持
枠１０の側板部１１ａ〜１１ｄに設けられた係止部に係合される係止部が形成されている
。また、周縁部１３ａ'〜１３ｄ'は、後述の本体枠１１側面の係止片と嵌合させる役割を
有している。
【００２９】
図２〜図４を参照して支持枠１０の構造を説明する。なお、図３は支持枠を構成する本
体枠と押さえ部材とを示し、図３（ａ）は本体枠と押さえ部材とを分離した状態の斜視図
、図３（ｂ）は図３（ａ）のＣ部分を拡大した斜視図、図３（ｃ）は図３（ａ）のＣ'部
分を拡大した斜視図、図４は本体枠に押さえ部材を装着した状態の平面図である。
【００３０】
支持枠１０は、図３に示すように、外周が対向する長辺枠１１Ａ、１１Ｂ及び短辺枠１
１Ｃ、１１Ｄで囲まれ、内部に開口部１１'を有する額縁状の本体枠１１と、この本体枠
１１の一方の長辺枠１１Ｂに装着される押さえ部材１２とからなり、これらは樹脂材或い
は金属材で形成されている。各長辺枠１１Ａ、１１Ｂ及び各短辺枠１１Ｃ、１１Ｄは、そ
れぞれ側板部１１ａ、１１ｂ及び１１ｃ、１１ｄと、これらの側板部１１ａ〜１１ｄの上
端から延設された周縁部１１ａ'〜１１ｄ'とを有している。
【００３１】
一方の長辺枠１１Ａは、図２（ｂ）に示すように、ランプハウスＬＨを覆うと共に、液
晶表示パネル２及び液晶シャッター３を支持するもので、側板部１１ａと周縁部１１ａ'
とが略直角に折曲されて、この周縁部１１ａ'は、側板部１１ａから略水平方向へ延設さ
れている。周縁部１１ａ'は、その端部近傍にさらに開口部１１'方向へ延びた第１突出部
１１１と、またこの端部近傍付近にあって、下方へ垂下した第２突出部１１２が形成され
ている。第１突出部１１１は、液晶シャッター３の端縁部が第１突出部１１１と導光板６
との間の隙間に差し込まれたときに、この端縁部が係止される長さとなっている。第２突
出部１１２は、装置を組立てた状態で下端部が導光板６に当接し、第１突出部１１１は、
液晶シャッター３が当接される長さ或いは若干の隙間が形成されている。周縁部１１ａ'
の上面には、液晶表示パネル２が載置される。
【００３２】
他方の長辺枠１１Ｂは、図２（ｃ）に示すように、ランプハウスＬＨを覆うもので、側
板部１１ｂと周縁部１１ｂ'とを有し、周縁部１１ｂ'は、側板部１１ｂの途中から略水平
方向へ延設されて、その端部に下方へ垂下した第３突出部１１３が形成されている。第３
突出部１１３は、所定の高さを有し、装置を組立てた状態で下端部が導光板６に当接し、
ランプハウスＬＨを押し潰さない高さに設定されている。すなわち、第３突出部１１３を
このような長さに設定することにより、装置組立て時に、前面枠１３を側板部１１ｂの係
止部に係合させて、液晶表示パネル２を押付けてもランプハウスＬＨ及び光源Ｌに周縁部
１１ｂ'が接触して押し潰すことがなくなる。
【００３３】
また、この第３突出部１１３の開口部１１'側の側面は、この側面に液晶シャッター３
が突き当たりランプハウスＬＨの方への移動を規制するストッパーとなっている。また、
周縁部１１ｂ'と第３突出部１１３との連結部には所定角度の傾斜部１１４が形成されて
いる。このような傾斜部１１４を設けることにより、傾斜部１１４の肉厚を厚くすること
ができ、接触面積を大きくとることができるとともに、機械的強度が増すことにもなる。
【００３４】
周縁部１１ｂ'は、その上面に押さえ部材１２が載置されて長手方向へのスライド移動
を可能とするもので、押さえ部材１２を載置・移動させる観点からみて台座の機能を果た
しているので、以下この周縁部１１ｂ'を他の周縁部１１ａ'、１１ｄ'と区別して枠台と
もいう。同じく、周縁部１１ｃ'にも押さえ部材１２が載置されるので枠台ともいう。
【００３５】
この枠台１１ｂ'の上面には、図３に示すように、押さえ部材１２を係止する第１係止
部１１Ｘが数箇所、例えば３箇所設けられ、これらの箇所を除く面は、押さえ部材１２が
スライド移動できるように平坦面となっている。複数の第１係止部１１Ｘは、いずれも同
じ構造を有している。また、この枠台１１ｂ'と隣接する周縁部（枠台）１１ｃ'とが連結
される隅部近傍の枠台１１ｃ'にも第３係止部１１Ｙが形成されている。第１、第３の係
止部１１Ｘ、１１Ｙは、押さえ部材１２の第２、第４係止部と係合されるので、これらの
構造は第２、第４係止部と関連させて後述する。
【００３６】
この枠台１１ｂ'、すなわち周縁部の厚みは非常に薄く、例えば約１．０ｍｍに形成さ
れる。この周縁部１１ｂ'を肉薄にすることにより、周縁部１１ｂ'の上面と前面枠１３と
の間に隙間を形成して、この隙間に後述する押さえ部材１２を液晶組立て体の高さを背高
にすることなく装着できる。なお、第４突出部１１５は、押さえ部材１２が外方へ移動す
るのを規制するストッパーとなっている（図２（ｃ）参照）。
【００３７】
押さえ部材１２は、図３（ｂ）に示すように、本体枠１１の長辺枠１１Ｂより若干短長
の長尺枠１２Ａと、この長尺枠１２Ａの一端部から短辺枠１１Ｃ方向へ直角に折曲された
短尺枠１２Ｂとを有し、略Ｌ字状をなしている。この長尺枠１２Ａには、枠台１１ｂ'と
略同じ幅長の枠辺１２ａと、この枠辺１２ａの内側縁にあって、液晶表示パネル２の外縁
部が載置・支持される支持部１２ａ'が形成されている。枠辺１２ａと支持部１２ａ'との
連結部は傾斜部１２１となっている。これにより、傾斜部１２１の肉厚を厚くすることが
でき、接触面積を大きくとることができるとともに、機械的強度が増すことにもなる。
【００３８】
また、枠辺１２ａには、長辺枠１１Ｂの３箇所の第１係止部１１Ｘに対応した位置にそ
れぞれ第２係止部１２Ｘが形成されている。これらの第2係止部１２Ｘは、いずれも同じ
構造を有している。また、短尺枠１２Ｂにも１個の第４係止部１２Ｙが設けられ、この第
４係止部１２Ｙは肉薄で内部に開口を有する係止環で形成されている。この係止環は肉薄
であるため可撓性が付与されており、第３係止部１１Ｙとの係止及び解除が容易になる。
なお、図３（ｂ）及び図７の符号Ｏは成型体の凹みである。
【００３９】
次に、図３〜図７を参照して、各第１〜第４係止部の構造を説明する。なお、図５（ａ
）は図４のＤ部分の拡大図、図５（ｂ）は図４のＥ部分の拡大図、図６（ａ）は図５（ａ
）のＦ−Ｆ線断面図、図６（ｂ）は図６（ａ）に対して各係止部が未係止の状態を示す断
面図、図６（ｃ）は図５（ａ）のＧ−Ｇ線断面図、図７（ａ）は図５（ｂ）のＨ−Ｈ線断
面図、図７（ｂ）は図７（ａ）に対して各係止部が未係止の状態を示す断面図である。
【００４０】
枠台１１ｂ'の第１係止部１１Ｘは、図６に示すように、所定面積の第１係合穴Ｓ１内
の一方の隅部から折曲加工により上方に立ち上がった爪片で形成されている。第１係合穴
Ｓ１は、枠台１１ｂ'の長手方向に沿って形成され、その大きさは、第２係止部１２Ｘが
挿入できて、かつスライド移動が可能な大きさとなっている。具体的には、この第１係合
穴Ｓ１は、枠台１１ｂ'の長手方向の幅長をａ１２、この長手方向と直交する方向の幅長
をｂ１２としたとき、おおよそａ１２×ｂ１２の開口面積を有する穴となっている。更に
、この係合穴Ｓ１には、所定の幅長ａ１×ｂ１２の面積部分が貫通穴となり、また、所定
の幅長ａ２×所定の幅長ｂ２の面積部分には、枠台１１ｂ'の平坦面から所定高さ立ち上
がった段部１１０を経て水平に延びる第１係止部１１Ｘが形成されている。なお、上述し
た各幅長はそれぞれａ１２＝ａ１＋ａ２、ａ１≧ａ２、及び、ｂ１２＝ｂ１＋ｂ２、ｂ１
≦ｂ２となっている。
【００４１】
爪片からなる第１係止部１１Ｘの立ち上がり高さは、押さえ部材１２の厚みと略同じ高
さとなっている。段部１１０をこの高さに設定することにより、本体枠１１に押さえ部材
１２を載置しても支持枠１０を背高にすることなく固定できる。さらに、第１係止部１１
Ｘは、側板部１１ｂとの間に第1係合穴Ｓ１に連通した隙間Ｓ１'が形成されている。この
隙間Ｓ１'には、押さえ部材１２の細辺１２２が挿入される（図６（ｃ）参照）。
【００４２】
また、枠台１１ｃ'には、図５（ｂ）及び図７に示すように、押さえ部材１２の第４係
止部１２Ｙが挿入できて、かつ押さえ部材１２をスライド移動可能な大きさの載置部Ｓ２
が短辺枠１１Ｃに設けられ（図３（ｃ）参照）、この載置部Ｓ２の外縁部に設けられた貫
通孔Ｓ２'の上面から下方に突出するように爪片からなる第３係止部１１Ｙが設けられて
いる。載置部Ｓ２は詳しくは深さｅ、幅ｆを有する凹状溝からなり、貫通孔Ｓ２'に繋が
っている。そして貫通孔Ｓ２'は側板部１１ｃを貫通して形成されている。
【００４３】
押さえ部材１２の第２係止部１２Ｘは、所定面積の第２係合穴Ｓ３内の一方の隅部から
折曲加工により下方に切り起こされた爪片で形成されている。この第２係合穴Ｓ３は第１
係止部１１Ｘが挿入できて、かつスライド移動可能な大きさとなっている。具体的には、
第２係合穴Ｓ３の長尺枠１２ａの長手方向の幅長をｃ１２、この長手方向と直交する方向
の幅長をｄ１２としたとき、おおよそｃ１２×ｄ１２の開口面積を有する穴となっている
、更に、この第２係合穴Ｓ３は、所定の幅長ｃ２×幅長ｄ１２の面積部分が貫通穴となり
、また、所定の幅長ｃ１×所定の幅長ｄ１の面積部分には、長尺枠１２ａの平坦面から所
定高さ下方に切り起こされた段部１２０を経て水平に延びる第２係止部１２Ｘが形成され
ている。そして、第２係合穴Ｓ３と長尺枠１２ａの外縁部との間に細辺１２２が形成され
ている。なお、上述した各幅長はそれぞれｃ１２＝ｃ１＋ｃ２、ｃ１≦ｃ２、及び、ｄ１
２＝ｄ１＋ｄ２、ｄ１≧ｄ２となっている。
【００４４】
第１係止部１１Ｘと第２係止部１２Ｘとは、図６（ｂ）に示すように、第１係止部１１
Ｘを第２係合穴Ｓ３内に、第２係止部１２Ｘを第１係合穴Ｓ１内に収納した状態で、押さ
え部材１２を図６（ａ）に示す矢印Ｘ方向へ移動させることにより第２係止部１２Ｘが第
１係止部１１Ｘ方向へ移動して、第２係止部１２Ｘが第１係止部１１Ｘの下方へ入り込み
係合される。この係合により、押さえ部材１２は矢印Ｘと直交する上方向への抜けが阻止
される。なお、隙間Ｓ１'には押さえ部材１２の細辺１２２がＸ方向への移動に伴って挿
入される。
【００４５】
また、第３係止部１１Ｙと第４係止部１２Ｙとは、同様に押さえ部材１２を矢印Ｘ方向
へ移動させることにより係合される。つまり、第３係止部１２Ｙが載置部Ｓ２にガイドさ
れて貫通孔Ｓ２'を通過する前は、図７（ｂ）に示すように、第４係止部１２Ｙが第３係
止部１１Ｙから離れている。この状態で、押さえ部材１２が矢印Ｘ方向へスライドされる
と、第４係止部１２Ｙの係止環が貫通孔Ｓ２'を通り第３係止部１１Ｙに衝突して下方へ
撓んでこの貫通孔Ｓ２'を通過し、係止環からなる第４係止部１２Ｙの内周縁１２Ｙ'が第
３係止部１１Ｙに係止されることで押さえ部材１２のスライド移動が規制される。
【００４６】
押さえ部材１２と本体枠１１との係止を解除する場合は、第４係止部１２Ｙの係止環の
端部を下方へ押下げて第４係止部１２Ｙと第３係止部１１Ｙとの係止を外して押し戻すこ
とにより、押さえ部材１２を本体枠１１から取り外すことができる。
【００４７】
次に、上記の構成部品を用いた本実施例の液晶表示装置の組立て手順の概要を説明する
。
先ず、底面カバー９の底面に反射シート８を敷設し、その上に導光板６、光学シート５
を順に積層し、さらにランプハウスＬＨ、ＬＨに収納した光源Ｌ、Ｌを導光板６の対向す
る長辺に沿って配設する。次いで、底面カバー９の外縁部を覆うようにして額縁状の本体
枠１１を取付ける。なお、この取付けにより本体枠１１の各長辺枠１１Ａ、１１Ｂの第２
突出部１１２及び第３突出部１１３が導光板６の外縁部に当接することにより導光板６が
固定される。
【００４８】
次に液晶シャッター３を取付ける。この取付けに際しては、先ず液晶シャッター３の一
方の長辺を本体枠１１の第１突出部１１１と導光板６との間の隙間に挿入し、この長辺を
軸として回動させるようにして光学シート５の上に載置する。なお、液晶シャッター３は
剛性を有しているが、一方の長辺を第１突出部１１１の下方に差し込むだけで、他に突出
部がないので、簡単に載置できる。そして、押さえ部材１２を長辺枠１１Ｂの上に装着す
る。この装着は、上述したように押さえ部材１２の第２、第４係止部１２Ｘ、１２Ｙと本
体枠１１の第１、第３係止部１１Ｘ、１１Ｙとを係合することによって装着する。これに
より、押さえ部材１２の支持部１２ａ'が液晶シャッター３の他方の長辺の上部に位置す
るようになり、液晶シャッター３を固定する。
【００４９】
最後に、液晶表示パネル２をその対向する一対の長辺が本体枠１１の一方の長辺枠１１
Ａの周縁部１１ａ'上、及び、押さえ部材１２の支持部１２ａ'上に位置するように載置し
て、これらを前面枠１３で覆うように固定することにより組立が完了する。
【図面の簡単な説明】
【００５０】
【図１】図１は本発明の一実施形態に係る液晶表示装置を分解した分解斜視図である。
【図２】図２は図１で分解した部品を組立てた液晶表示装置であって、図２（ａ）は平面図、図２（ｂ）は図２（ａ）のＡ−Ａ線断面図、図２（ｃ）は図２（ａ）のＢ−Ｂ線断面図である。
【図３】図３は支持枠を構成する本体枠と押さえ部材とを示し、図３（ａ）は本体枠と押さえ部材とを分離した状態の斜視図、図３（ｂ）は図３（ａ）のＣ部分を拡大した斜視図、図３（ｃ）は図３（ａ）のＣ'部分を拡大した斜視図である。
【図４】図４は本体枠に押さえ部材を装着した状態の平面図である。
【図５】図５（ａ）は図４のＤ部分の拡大図、図５（ｂ）は図４のＥ部分の拡大図である。
【図６】図６（ａ）は図５（ａ）のＦ−Ｆ線断面図、図６（ｂ）は図６（ａ）に対して各係止部が未係止の状態を示す断面図、図６（ｃ）は図５（ａ）のＧ−Ｇ線断面図である。
【図７】図７（ａ）は図５（ｂ）のＨ−Ｈ線断面図、図７（ｂ）は図７（ａ）に対して各係止部が未係止の状態を示す断面図である。
【図８】従来技術の液晶表示装置の一部断面図である。
【符号の説明】
【００５１】
１              液晶表示装置
２              液晶表示パネル
３              液晶シャッター
４              照明装置
５              光学シート
６              導光板
７Ａ、７Ｂ      光源
８              反射シート
９              底面カバー
１０            支持枠
１１            本体枠
１１'          開口部
１１１〜１１３  第１〜第３支持部
１１ａ〜１１ｄ  側板部
１１ａ'〜１１ｄ'  周縁部（枠台）
１１Ｘ          第１係止部
１１Ｙ          第３係止部
１２            押さえ部材
１２ａ'        支持部（第２支持部）
１２Ｘ          第２係止部
１２Ｙ          第４係止部
１３            前面枠
Ｌ              光源
Ｓ１        第１係合穴
Ｓ３        第２係合穴
【図１】
2008065211.tif 000003
【図２】
2008065211.tif 000004
【図３】
2008065211.tif 000005
【図４】
2008065211.tif 000006
【図５】
2008065211.tif 000007
【図６】
2008065211.tif 000008
【図７】
2008065211.tif 000009
【図８】
2008065211.tif 000010